(57)【要約】      （修正有）【課題】簡易、且つ、コンパクトな構成を有すると共に、効率の高い液体有無検出機器及びそれを備えた空気改良機器を提供する。【解決手段】液体有無検出機器は、空気マグネシウム電池２０と、この発電電力を消費する電気的負荷４０とを備え、空気マグネシウム電池２０は、正極と、負極と、これらの間に配置する保液部と、この保液部から液体１１の有無の検出ポイントＬＬｏｗに延出する吸液部とを有し、検出ポイントＬＬｏｗに液体１１がある時、吸液部が液体１１に濡れ、保液部に液体１１が電解液として保持されることによって、空気マグネシウム電池２０が作動し、電源を兼ね備える。空気改良機器は、このような電源を兼ね備えた液体有無検出機器を備えると共に、機器本体１と、この内に取り外し可能に装着する空気改良剤１０とを備える。【選択図】図１
2015197392.tif 000002
【特許請求の範囲】
【請求項１】
空気マグネシウム電池と、この空気マグネシウム電池の発電電力を消費する電気的負荷とを備え、前記空気マグネシウム電池は、正極と、負極と、これらの間に配置する保液部と、この保液部から液体の有無の検出ポイントに延出する吸液部とを有し、前記検出ポイントに前記液体がある時、前記吸液部が前記液体に濡れ、前記保液部に前記液体が電解液として保持されることによって、前記空気マグネシウム電池が作動することを特徴とする電源を兼ね備えた液体有無検出機器。
【請求項２】
前記液体が容器内に収容され、この容器内に収容された前記液体の有無を検出することを特徴とする請求項１記載の電源を兼ね備えた液体有無検出機器。
【請求項３】
請求項１又は２に記載の電源を兼ね備えた液体有無検出機器を備えると共に、機器本体と、この機器本体内に取り外し可能に装着する空気改良剤とを備え、この空気改良剤は、空気改良液と、上部に開口を有し、前記空気改良液を収容する容器本体と、この容器本体内に前記開口から挿入され、前記空気改良液を含浸させて毛細管現象により吸い上げる吸液芯と、この吸液芯を中心部に挿通保持し、前記容器本体の前記開口部に取り付けられて前記開口を閉じた時、前記吸液芯を前記容器本体内に挿入保持する絶縁性材料からなる取り外し可能な蓋体とを有し、前記空気マグネシウム電池は、前記保液部の内側に前記正極が位置し、前記保液部の外側に前記負極が位置する筒状であって、前記吸液芯が挿通可能な吸液芯挿通孔を形成する筒状をなし、この空気マグネシウム電池が前記蓋体に搭載されて、前記蓋体から上方へ突出した前記吸液芯の周囲に配置され、前記吸液部が前記吸液芯の外側で前記蓋体に設けられた吸液部挿通孔に挿通されて、前記容器本体内の前記検出ポイントに延出され、前記電気的負荷は、前記機器本体に搭載され、前記空気改良剤を前記機器本体内に装着した時、前記空気マグネシウム電池と電気的に接続されることを特徴とする空気改良機器。
【請求項４】
前記吸液部は筒状をなし、前記吸液部挿通孔はリング状をなし、前記蓋体には前記容器本体内に前記開口から挿入される芯部を一体に形成し、この芯部は、前記蓋体の前記吸液部挿通孔より内側の下面から垂下し、前記吸液部挿通孔の周方向に沿って所定の間隔を置いて配置する複数の内側縦桟部と、前記吸液部挿通孔より外側の下面から垂下し、前記吸液部挿通孔の周方向に沿って所定の間隔を置いて配置する複数の外側縦桟部と、前記内側縦桟部と前記外側縦桟部の下端同士を連結する連結部からなり、リング状をなす前記吸液部挿通孔によって分離された前記蓋体の前記吸液部挿通孔より内側部と外側部とを一体化し、前記蓋体を一体構造となし、筒状をなす前記吸液部をリング状をなす前記吸液部挿通孔から前記内側縦桟部と前記外側縦桟部との間に受け入れて、前記吸液芯の周囲に配置することを特徴とする請求項３に記載の空気改良機器。
【請求項５】
前記連結部の中心部には前記吸液芯を挿通可能な下部吸液芯挿通孔を設け、この連結部を前記容器本体内の底面から離反した高さ位置に配置し、前記吸液芯は前記下部吸液芯挿通孔に挿通させて前記容器本体内の底面に接触させ、前記吸液部の下端は前記連結部に当接することを特徴とする請求項４に記載の空気改良機器。
【請求項６】
前記空気マグネシウム電池には、吸液部引き出し口と、前記正極への空気取り込み口とを有し、前記正極と前記負極と前記保液部とを収容する絶縁性材料からなる電極ケースを設け、この電極ケースは、上ケースと下ケースからなり、上ケースは、電極ケース天壁部と、電極ケース上部内側壁部と、電極ケース上部外側壁部とを一体に形成し、前記電極ケース天壁部は、リング状をなし、前記正極と前記負極と前記保液部との上面を覆い、前記電極ケース上部内側壁部は、前記電極ケース天壁部の内周縁部から前記負極の内周面に沿って垂下され筒状をなし、前記負極の内周面上部を覆い、前記電極ケース上部外側壁部は、前記電極ケース天壁部の外周縁部から前記正極の外周面に沿って垂下され筒状をなし、前記正極の外周面上部を覆い、前記下ケースは、電極ケース底壁部と、電極ケース下部内側壁部と、電極ケース下部外側壁部とを、前記蓋体に一体に形成し、前記電極ケース底壁部は、前記正極と前記負極との下面と対向する前記蓋体の一部からなり、前記正極と前記負極との下面とを覆い、かつ、前記吸液部挿通孔を前記吸液部引き出し口として有し、前記電極ケース下部内側壁部は、前記電極ケース底壁部の内周縁部から前記負極の内周面に沿って立ち上げられ筒状をなし、前記負極の内周面下部を覆い、前記電極ケース下部外側壁部は、前記電極ケース底壁部の外周縁部から前記正極の外周面に沿って立ち上げられ筒状をなし、前記正極の外周面下部を覆い、前記上ケースと前記下ケースとは、前記電極ケース上部内側壁部の下端と前記電極ケース下部内側壁部の上端とを突き合わせた状態、かつ、前記電極ケース上部外側壁部の下端と電極ケース下部外側壁部の上端とを突き合わせた状態で一体化され、前記電極ケースは、前記電極ケース上部内側壁部及び前記電極ケース下部内側壁部の内側に前記吸液芯を挿通保持し、前記電極ケース上部外側壁部及び前記電極ケース下部外側壁部の一方又は両方に跨って前記空気取り込み口を周方向に所定の間隔を置いて複数設けることを特徴とする請求項５に記載の空気改良機器。
【請求項７】
前記上ケースには、一端側が前記正極に接触した状態、かつ、他端側が前記上ケースの上面に露出した状態で固定された正極端子と、一端側が前記負極に接触した状態、かつ、他端側が前記上ケースの上面に露出した状態で固定された負極端子とが設けられ、前記機器本体には、前記空気改良剤を前記機器本体内に装着した時、前記正極端子に弾性的に接触する正極接続端子、及び、前記負極端子に弾性的に接触する負極接続端子と、前記正極接続端子及び前記負極接続端子と前記電気的負荷とがそれぞれ電気的に接続された制御基板とを設けることを特徴とする請求項６に記載の空気改良機器。
【発明の詳細な説明】
【技術分野】
【０００１】
本発明は、水を始めとして液体の有無を検出する液体有無検出機器及びそれを備えた空気改良機器に関するものである。
【背景技術】
【０００２】
従来、液体の有無を検出する液面センサや漏液センサ等の液体センサには様々な検出方式のものが知られている。例えば、接触型では静電容量式や電気抵抗式等があり、非接触型では超音波式や光学式等があるものの、いずれも、検出ポイントに液体がある時の状態と、ない時の状態との電気的な違いを捉え、液体の有無を電気的に検出するものであり、電源から供給された電力を消費する電気的負荷であった。
【０００３】
このような液体センサを備えた空気改良機器として、例えば、特許文献１には、使用者が室内で快適に過すことができるように、容器内に貯蔵された芳香液を室内に気化放出する電池式又はコンセント式の蒸散器が開示されている。この蒸散器では、容器内の芳香液がなくなると芳香効果を失うが、容器はケーシング内に収容されて外部から見ることができないため、残量センサを備え、容器内の芳香液の残量が少なくなったことを発光ダイオードからなるランプを用いて使用者に知らせるようになされている。
【０００４】
ところで、前記蒸散器は、容器内に細管が挿入され、細管に芳香液を含浸させて毛細管現象により吸い上げ、吸い上げた芳香液をヒータで気化し、ファンからの気流に乗せて室内に放出するものであるが、芳香液と、芳香液を収容する容器と、容器内に挿入され芳香液を含浸させて毛細管現象により吸い上げる吸上芯からなり、吸上芯の上端部に吸い上げた芳香液を揮散させる芳香剤（簡易型芳香器）が知られている。このような電源を必要としない芳香剤では、電気的負荷である残量センサやランプに代えて、外観上の設計自由度を犠牲にしても、使用者が目視で容器内の芳香液の残量を確認できるように、容器及びそれに被着される印刷フィルム等に透光性のものを用い、さらには芳香液に視認性をよくするため着色することがなされている。
【先行技術文献】
【特許文献】
【０００５】
【特許文献１】特許第３７６８６４６号公報
【発明の概要】
【発明が解決しようとする課題】
【０００６】
乾電池（マンガン乾電池やアルカリ乾電池）は高温環境化では保管時（停止時）の自己放電が進み容量が減少し、またリチュウム電池はリチウムが水と激しく反応し使用済みの電池の廃棄には十分な配慮が必要となる。
液体有無検出機器において、従来の液体センサを備える限り、電源を必要とし、そのことが、液体有無検出機器をより簡易、且つ、コンパクトな構成とすると共に、より効率の高いものにする上で、大きな障害となっていた。
【０００７】
本発明の目的は、簡易、且つ、コンパクトな構成を有すると共に、効率の高い液体有無検出機器及びそれを備えた空気改良機器を提供することにある。
【課題を解決するための手段】
【０００８】
前記目的を達成するために、本発明に係る電源を兼ね備えた液体有無検出機器は、空気マグネシウム電池と、この空気マグネシウム電池の発電電力を消費する電気的負荷とを備え、前記空気マグネシウム電池は、正極と、負極と、これらの間に配置する保液部と、この保液部から液体の有無の検出ポイントに延出する吸液部とを有し、前記検出ポイントに前記液体がある時、前記吸液部が前記液体に濡れ、前記保液部に前記液体が電解液として保持されることによって、前記空気マグネシウム電池が作動することを特徴とする。
本発明に係る電源を兼ね備えた液体有無検出機器の好ましい態様として、前記液体が容器内に収容され、この容器内に収容された前記液体の有無を検出する。
【０００９】
本発明に係る空気改良機器は、前記本発明に係る電源を兼ね備えた液体有無検出機器を備えると共に、機器本体と、この機器本体内に取り外し可能に装着する空気改良剤とを備え、この空気改良剤は、空気改良液と、上部に開口を有し、前記空気改良液を収容する容器本体と、この容器本体内に前記開口から挿入され、前記空気改良液を含浸させて毛細管現象により吸い上げる吸液芯と、この吸液芯を中心部に挿通保持し、前記容器本体の前記開口部に取り付けられて前記開口を閉じた時、前記吸液芯を前記容器本体内に挿入保持する絶縁性材料からなる取り外し可能な蓋体とを有し、前記空気マグネシウム電池は、前記保液部の内側に前記正極が位置し、前記保液部の外側に前記負極が位置する筒状であって、前記吸液芯が挿通可能な吸液芯挿通孔を形成する筒状をなし、この空気マグネシウム電池が前記蓋体に搭載されて、前記蓋体から上方へ突出した前記吸液芯の周囲に配置され、前記吸液部が前記吸液芯の外側で前記蓋体に設けられた吸液部挿通孔に挿通されて、前記容器本体内の前記検出ポイントに延出され、前記電気的負荷は、前記機器本体に搭載され、前記空気改良剤を前記機器本体内に装着した時、前記空気マグネシウム電池と電気的に接続されることを特徴とする。
【００１０】
本発明に係る空気改良機器の好ましい態様の一つとして、前記吸液部は筒状をなし、前記吸液部挿通孔はリング状をなし、前記蓋体には前記容器本体内に前記開口から挿入される芯部を一体に形成し、この芯部は、前記蓋体の前記吸液部挿通孔より内側の下面から垂下し、前記吸液部挿通孔の周方向に沿って所定の間隔を置いて配置する複数の内側縦桟部と、前記吸液部挿通孔より外側の下面から垂下し、前記吸液部挿通孔の周方向に沿って所定の間隔を置いて配置する複数の外側縦桟部と、前記内側縦桟部と前記外側縦桟部の下端同士を連結する連結部からなり、リング状をなす前記吸液部挿通孔によって分離された前記蓋体の前記吸液部挿通孔より内側部と外側部とを一体化し、前記蓋体を一体構造となし、筒状をなす前記吸液部をリング状をなす前記吸液部挿通孔から前記内側縦桟部と前記外側縦桟部との間に受け入れて、前記吸液芯の周囲に配置する。
【００１１】
本発明に係る空気改良機器の好ましい態様の一つとして、前記連結部の中心部には前記吸液芯を挿通可能な下部吸液芯挿通孔を設け、この連結部を前記容器本体内の底面から離反した高さ位置に配置し、前記吸液芯は前記下部吸液芯挿通孔に挿通させて前記容器本体内の底面に接触させ、前記吸液部の下端は前記連結部に当接する。
【００１２】
本発明に係る空気改良機器の好ましい態様の一つとして、前記空気マグネシウム電池には、吸液部引き出し口と、前記正極への空気取り込み口とを有し、前記正極と前記負極と前記保液部とを収容する絶縁性材料からなる電極ケースを設け、この電極ケースは、上ケースと下ケースからなり、上ケースは、電極ケース天壁部と、電極ケース上部内側壁部と、電極ケース上部外側壁部とを一体に形成し、前記電極ケース天壁部は、リング状をなし、前記正極と前記負極と前記保液部との上面を覆い、前記電極ケース上部内側壁部は、前記電極ケース天壁部の内周縁部から前記負極の内周面に沿って垂下され筒状をなし、前記負極の内周面上部を覆い、前記電極ケース上部外側壁部は、前記電極ケース天壁部の外周縁部から前記正極の外周面に沿って垂下され筒状をなし、前記正極の外周面上部を覆い、前記下ケースは、電極ケース底壁部と、電極ケース下部内側壁部と、電極ケース下部外側壁部とを、前記蓋体に一体に形成し、前記電極ケース底壁部は、前記正極と前記負極との下面と対向する前記蓋体の一部からなり、前記正極と前記負極との下面とを覆い、かつ、前記吸液部挿通孔を前記吸液部引き出し口として有し、前記電極ケース下部内側壁部は、前記電極ケース底壁部の内周縁部から前記負極の内周面に沿って立ち上げられ筒状をなし、前記負極の内周面下部を覆い、前記電極ケース下部外側壁部は、前記電極ケース底壁部の外周縁部から前記正極の外周面に沿って立ち上げられ筒状をなし、前記正極の外周面下部を覆い、前記上ケースと前記下ケースとは、前記電極ケース上部内側壁部の下端と前記電極ケース下部内側壁部の上端とを突き合わせた状態、かつ、前記電極ケース上部外側壁部の下端と電極ケース下部外側壁部の上端とを突き合わせた状態で一体化され、前記電極ケースは、前記電極ケース上部内側壁部及び前記電極ケース下部内側壁部の内側に前記吸液芯を挿通保持し、前記電極ケース上部外側壁部及び前記電極ケース下部外側壁部の一方又は両方に跨って前記空気取り込み口を周方向に所定の間隔を置いて複数設ける。
【００１３】
本発明に係る空気改良機器の好ましい態様の一つとして、前記上ケースには、一端側が前記正極に接触した状態、かつ、他端側が前記上ケースの上面に露出した状態で固定された正極端子と、一端側が前記負極に接触した状態、かつ、他端側が前記上ケースの上面に露出した状態で固定された負極端子とが設けられ、前記機器本体には、前記空気改良剤を前記機器本体内に装着した時、前記正極端子に弾性的に接触する正極接続端子、及び、前記負極端子に弾性的に接触する負極接続端子と、前記正極接続端子及び前記負極接続端子と前記電気的負荷とがそれぞれ電気的に接続された制御基板とを設ける。
【発明の効果】
【００１４】
本発明に係る電源を兼ね備えた液体有無検出機器によれば、検出ポイントに液体がある時、空気マグネシウム電池が作動（発電）し、検出ポイントに液体がない時、空気マグネシウム電池が停止することから、空気マグネシウム電池によって検出ポイントに液体がある時の状態と、ない時の状態との電気的な違いを捉え、液体の有無を電気的に検出することができる。即ち、本発明に係る電源を兼ね備えた液体有無検出機器によれば、自己発電機能（空気マグネシウム電池）を有し、自己発電電力の供給及び停止によって液体の有無を電気的に検出することができ、外部電源を必要としない簡易、且つ、コンパクトな構成を有すると共に、効率の高い液体有無検出機器を提供することができる。
また、空気マグネシウム電池を使用するので、高温環境下でも使用できる。一般ゴミとして廃棄できる。
【００１５】
また、本発明に係る空気改良機器によれば、本発明に係る電源を兼ね備えた液体有無検出機器を備え、液体有無検出機器について、外部電源を必要としないことから、その分、簡易、且つ、コンパクトな構成を有すると共に、効率の高い空気改良機器を提供することができる。
【００１６】
さらに、容器本体に空気マグネシウム電池を搭載すると、吸液芯とは別に空気マグネシウム電池を単独で容器本体にセットする必要があるのに対し、本発明に係る空気改良機器によれば、蓋体に空気マグネシウム電池が搭載されることから、容器本体の開口を蓋体で閉じて吸液芯を容器本体にセットすると、空気マグネシウム電池も自動的に容器本体にセットされ、液体有無検出機器を備えても空気改良剤を容易に組み立てることができる。しかも、本発明に係る空気改良機器によれば、電気的負荷は、機器本体に搭載されるものの、空気改良剤を機器本体内に装着した時、空気マグネシウム電池と電気的に接続されることから、空気改良剤を機器本体内に装着して空気改良機器を組み立てると、液体有無検出機器も自動的に構成され、液体有無検出機器を備えても空気改良機器を容易に組み立てることができる。また、容器本体に空気マグネシウム電池を搭載すると、吸液部を容器本体内の検出ポイントに延出するために、容器本体にその上部の開口とは別に吸液部挿通孔を設ける必要があると共に、この吸液部挿通孔からの漏れ止めを施したとしても、使用時に漏れるおそれがあるのに対し、本発明に係る空気改良機器によれば、蓋体に空気マグネシウム電池が搭載され、吸液部が吸液芯の外側で蓋体に設けられた吸液部挿通孔に挿通されて、容器本体内の検出ポイントに延出されることから、容器本体にその上部の開口とは別に吸液部挿通孔を設けたり、この吸液部挿通孔からの漏れ止めを施す必要がなく、使用時に漏れを発生することをなくすことができる。また、容器本体の上部の開口部に取り付ける蓋体に空気マグネシウム電池が搭載されることから、検出ポイントと空気マグネシウム電池との高低差を稼ぎ、検出ポイントに空気改良液がある状態からなくなった時の保液部からの空気改良液の抜き取り及び保液部の乾燥が短時間で行え、液体有無検出機器の応答性を向上することができる。
【図面の簡単な説明】
【００１７】
【図１】本発明に係る電源を兼ね備えた液体有無検出機器の実施例１を示す空気改良機器の全体構成図
【図２】空気マグネシウム電池の断面側面図
【図３】空気マグネシウム電池の半断面平面図
【図４】蓋体の芯部を示す断面平面図
【図５】本発明に係る電源を兼ね備えた液体有無検出機器の実施例２を示す空気改良機器の全体構成図
【図６】本発明に係る電源を兼ね備えた液体有無検出機器の使用例を示すケトルの概略説明図
【図７】本発明に係る電源を兼ね備えた液体有無検出機器の使用例を示す漏水センサの概略説明図
【図８】本発明に係る電源を兼ね備えた液体有無検出機器の使用例を示す雨濡れ防止機器の概略説明図
【図９】本発明に係る電源を兼ね備えた液体有無検出機器の使用例を示す止水機器の概略説明図
【図１０】本発明に係る電源を兼ね備えた液体有無検出機器の使用例を示す長寿命漏水センサの概略説明図
【発明を実施するための形態】
【００１８】
以下、本発明に係る電源を兼ね備えた液体有無検出機器を具体例を挙げて詳細に説明する。
【実施例１】
【００１９】
図１は、本発明に係る電源を兼ね備えた液体有無検出機器の実施例１を示す空気改良機器の全体構成図である。空気改良機器は、機器本体１と、この機器本体１内に取り外し可能に装着する空気改良剤１０とを備える。
【００２０】
機器本体１は、絶縁性合成樹脂からなる機器筐体２を有し、この機器筐体２内に空気改良剤１０を取り外し可能に装着する。
【００２１】
機器筐体２は、外形が天付き筒状をなし、機器筐体２の底面に空気改良剤挿入口２ａが形成され、空気改良剤挿入口２ａの奥側（機器筐体２の内側）に空気改良剤収容部２ｂが形成される。また、空気改良剤収容部２ｂにて空気改良剤１０の上下方向の位置決めを行うため、空気改良剤収容部２ｂの周側壁（機器筐体２の内側壁面の上下中間部）に複数の上側位置決め突起２ｃが周方向に所定の間隔を置いて形成され、空気改良剤挿入口２ａの縁部（機器筐体２の内側壁面の下端部）に複数の下側位置決め突起２ｄが周方向に所定の間隔を置いて形成される。また、機器筐体２の天壁部の中心部に空気改良剤１０の放散口２ｅが形成される。また、空気改良剤１０の周方向の位置決めを行うため、空気改良剤挿入口２ａの縁部の複数箇所からそれぞれ空気改良剤収容部２ｂの周側壁に連続して延びる図示しない凹部（キー溝）が形成される。
【００２２】
空気改良剤１０は、空気改良液１１と、上部に開口１２ａを有し、空気改良液１１を収容する容器本体１２と、この容器本体１２内に開口１２ａから挿入され、空気改良液１１を含浸させて毛細管現象により吸い上げる吸液芯１３と、この吸液芯１３を中心部に挿通保持し、容器本体１２の開口１２ａ部に取り付けられて開口１２ａを閉じた時、吸液芯１３を容器本体１２内に挿入保持する絶縁性合成樹脂からなる取り外し可能な蓋体１４とを有し、蓋体１４から上方へ突出した吸液芯１３の上端部１３ａから空気改良液１１を揮散させるようになされている。また、吸液芯１３の下端部１３ｂは、容器本体１２内の底面１２ｂに接触させ、容器本体１２内の空気改良液１１を使い切ることができようになされている。
【００２３】
空気改良剤１０の空気改良液１１としては、例えば、芳香、消臭、脱臭、防虫、殺虫、防カビ、除菌、ウイルス除去、除塵、加湿等の空気改良機器の用途に応じた薬液や水等の液体が用いられるが、この空気改良液１１は導電性を有する。容器本体１２としては、胴部より小径な円筒状の開口１２ａを有する絶縁性合成樹脂製又は絶縁性ガラス製のボトルが用いられる。また、空気改良剤１０の周方向の位置決めを行うため、機器筐体２側の図示しない凹部の嵌合相手である図示しない凸部（キー）が容器本体１２の胴部外周面に形成される。蓋体１４としては、容器本体１２の開口１２ａ部にねじで固定される絶縁性合成樹脂製のキャップが用いられる。吸液芯１３は、例えば、天然繊維や合成繊維、ガラス繊維等、空気改良液１１を含浸させて毛細管現象により吸い上げることができる素材からなり、細長い丸棒状をなす。
【００２４】
空気改良剤１０は、製造工場にて容器本体１２に空気改良液１１が充填さられた時点で、使用時まで空気改良液１１を揮散させないように、容器本体１２の開口１２ａ部には、開口１２ａを閉じるだけの絶縁合成樹脂製の図示しない単なる蓋体（キャップ）がねじ等で取り付けられる。この単なる蓋体は使用時に取り外され、吸液芯１３付きの蓋体１４が容器本体１２の開口１２部にねじ等で取り付けられ、吸液芯１３の上端部１３ａから空気改良液１１を揮散可能に、図１に示す使用状態に組み立ててられる。なお、使用状態に組み立てた空気改良剤１０は、それ単体でも使うことができるものである。
【００２５】
以上の構成において空気改良機器は、空気改良剤１０を、使用状態に組み立てた後、吸液芯１３の上端部１３ａから機器筐体２の空気改良剤挿入口２ａに挿入し、容器本体１２の肩部を下側位置決め突起２ｄに下側から当接した状態で、さらに押し込むこれにより、空気改良剤１０が、容器本体１２の肩部で下側位置決め突起２ｄを弾性変形させ、下側位置決め突起２ｄを容器本体１２の胴部外側に押し退けながら、容器本体１２の肩部が上側位置決め突起２ｃに当接し、それ以上挿入することができない完全挿入位置まで機器筐体２の空気改良剤収容部２ｂに挿入装着され、図１に示す使用状態に組み立てられる。
【００２６】
空気改良機器は、使用状態に組み立てた時、下側位置決め突起２ｄが、容器本体１２の通過により弾性復帰し、容器本体１２の底面１２ｂの外周縁部に下側から係合することにより、空気改良剤１０の抜け止めを行い、かつ、上側位置決め突起２ｃと下側位置決め突起２ｄとが、これらの間に容器本体１２の胴部を挟み、空気改良剤１０の上下方向の位置決めを行い、かつ、機器筐体２側の図示しな凹部と容器本体１２側の図示しない凸部との嵌合により、空気改良剤１０の周方向の位置決めを行い、かつ、吸液芯１３の上端部１３ａが機器筐体２の放散口２ｅに挿入された状態で、機器筐体２の空気改良剤収容部２ｂ、即ち、機器本体１内に装着される。
【００２７】
そして、例えば、消臭芳香用の空気改良剤１０を機器本体１内に装着し、使用状態に組み立てた空気改良機器（消臭芳香器）を室内等の水平な面に載置して使用した場合、この空気改良機器は、吸液芯１３に含浸させた消臭芳香用の空気改良液１１を、毛細管現象により吸液芯１３の上端部に吸い上げ、吸液芯１３の上端部から揮散させ、消臭芳香成分を機器筐体２の放散口２ｅから室内に放散し、消臭芳香効果を得られる。ここで、容器本体１２内の空気改良液１１がなくなると、消臭芳香効果を失うが、使用済みの空気改良剤１０を機器筐体２の空気改良剤挿入口２ａから抜き取り、容器本体１２内に空気改良液１１が収容された新しい消臭芳香用の空気改良剤１０と交換することで、再び消臭芳香効果を得られる。
【００２８】
而して、空気改良機器は、本発明に係る電源を兼ね備えた液体有無検出機器を備える。本発明に係る電源を兼ね備えた液体有無検出機器は、空気マグネシウム電池２０と、この空気マグネシウム電池２０の発電電力を消費する電気的負荷４０とを備え、空気マグネシウム電池２０は、正極２１と、負極２２と、これらの間に配置する保液部２３と、この保液部２３から液体の有無の検出ポイントに延出する吸液部２４とを有し、検出ポイントに液体がある時、吸液部２４が液体に濡れ、保液部２３に液体が電解液として保持されることによって、空気マグネシウム電池２０が作動し、電気的負荷４０を動作させる一方、検出ポイントに液体がない時、保液部２３が乾燥状態に保持されることによって、空気マグネシウム電池２０が停止し、電気的負荷４０を停止させるものである。
【００２９】
図２は、空気マグネシウム電池２０の断面側面図、図３は、空気マグネシウム電池２０の半断面平面図である。空気マグネシウム電池２０は、前述したとおり、正極２１と、負極２２と、保液部２３と、吸液部２４とを有する。負極２２は、マグネシウム又はマグネシウム合金からなり、空気マグネシウム電池２０の一方の端部に配置される。検出ポイントに液体がある時、吸液部２４が液体に濡れ、保液部２３に液体が電解液として保持されることによって、マグネシウムが電解液とした液体に溶出し（２Ｍｇ→２Ｍｇ２+４ｅ-）、マグネシウムイオンを発生させる。
【００３０】
保液部２３は、一般にセパレータと呼ばれ、正極２１と負極２２の間に配置され、短絡を防止すると共に、電解液としての液体を含浸させ、保持する保液機能及び毛細管機能を有する。保液部２３としては、例えば、天然繊維や合成繊維、ガラス繊維等を主成分とする布、不織布、ろ紙等を用いることができるが、絶縁性、保液機能及び毛細管機能を有する素材であれば特にこれに限定されない。この点は、前述した吸液芯１３及び後述する吸液部の素材についても同じである。
【００３１】
電解液は、本発明に係る電源を兼ね備えた液体有無検出機器が有無を検出すべき液体である。
【００３２】
正極２１は、酸素吸着体２１ａ及び正極集電体２１ｂからなる。
【００３３】
酸素吸着体２１ａは、保液部２３に密着し、多孔質性を有する。酸素吸着体２１ａは、正極としての空気中の酸素を吸着する。酸素吸着体２１ａは、多孔質体の空隙に活性炭のような酸素吸着物質を有するもであってもよいし、酸素吸着体２１ａ自体が活性炭の炭素繊維であってもよい。酸素吸着物質を保持する多孔質体には、不織布等が挙げられる。検出ポイントに液体がある時、吸液部２４が液体に濡れ、保液部２３に液体が電解液として保持されることによって、酸素吸着体２１ａにも電解液としての液体が含浸する。その時、酸素吸着体２１ａは、正極２１として空気中の酸素を吸着し、還元することで電解液としての液体中に水酸化物イオンを発生させる（Ｏ２＋２Ｈ２Ｏ＋４ｅ-→４ＯＨ-）。
【００３４】
正極集電体２１ｂは、空気マグネシウム電池２０の他方の端部に配置される。正極集電体２１ｂは、通気性を有する。正極集電体２１ｂは、導電体で形成され、酸素吸着体２１ａに接続されており、酸素吸着体２１ａへ電子を供給する。正極集電体２１ｂには、例えば、銅網のような通気性を有する金属網を用いることができる。空気マグネシウム電池２０は、一方の端部から他方の端部に、負極２１ｂ、保液部２３、酸素吸着体２１ａ、正極集電体２１ｂの順で積層し互いに密着する。
【００３５】
吸液部２４は、空気マグネシウム電池２０を電源として利用するだけでなく、自己発電機能を有する液体センサ検知部として液体の有無を検出できるようにする。要するに、空気マグネシウム電池２０を液体センサ化する。吸液部２４は、保液部２３から液体の有無の検出ポイントに延出し、検出ポイントに液体がある時、液体に濡れ、保液部２３に液体が電解液として保持させることよって、空気マグネシウム電池２０を作動し、検出ポイントに液体がない時、保液部２３を乾燥状態に保持することによって、空気マグネシウム電池２０を停止する。吸液部２４は、保液部２３と同一又は別の素材で別体に設け、吸液部２４の一方の端部と保液部２３とを接続したものであってもよいが、液体の流通性や空気マグネシウム電池２０の生産性を考慮すると、保液部２３に一体に形成する方が好ましい。
【００３６】
以上の構成を有する空気マグネシウム電池２０では、四角形、円形、シート状、板形状、箱状、軸状、筒状等の任意の形状に設定することができると共に、剛性やフレキシブル性も任意に設定することができ、空気改良機器の他あらゆる製品に利用可能である。
また、乾電池（マンガン乾電池やアルカリ乾電池）は高温環境化では停止時の自己放電が進み容量が減少し、リチュウム電池はリチウムが水と激しく反応し使用済みの電池の廃棄には十分な配慮が必要となる。しかし、空気マグネシウム電池２０を使用するので、高温環境下でも使用できる。また、一般ゴミとして廃棄できる。
【００３７】
以上の構成において本発明に係る電源を兼ね備えた液体有無検出機器では、空気マグネシウム電池２０は、検出ポイントに液体がある時、空気マグネシウム電池２０が作動（発電）し、検出ポイントに液体がない時、空気マグネシウム電池２０が停止することから、空気マグネシウム電池２０によって検出ポイントに液体がある時の状態と、ない時の状態との電気的な違いを捉え、液体の有無を電気的に検出することができる。即ち、本発明に係る電源を兼ね備えた液体有無検出機器では、自己発電機能（空気マグネシウム電池２０）を有し、自己発電電力の供給及び停止によって液体の有無を電気的に検出することができ、外部電源を必要としない簡易、且つ、コンパクトな構成を有すると共に、効率の高い液体有無検出機器となる。
【００３８】
次に、空気改良機器での本発明に係る電源を兼ね備えた液体有無検出機器の具体的構成について説明する。図１乃至図３に示すように、空気改良機器では、空気マグネシウム電池２０は、保液部２３の内側に正極２１が位置し、保液部２３の外側に負極２２が位置する筒状であって、吸液芯１３が挿通可能な吸液芯挿通孔２５を形成する筒状をなし、この空気マグネシウム電池２０が蓋体１４に搭載されて、蓋体１４から上方へ突出した吸液芯１３の周囲に配置され、吸液部２４が吸液芯１３の外側で蓋体１４に設けられた吸液部挿通孔１４ａに挿通されて、容器本体１２内の検出ポイントに延出され、電気的負荷４０は、機器本体１に搭載され、空気改良剤１０を機器本体１内に装着した時、空気マグネシウム電池２０と電気的に接続されるようになされている。
【００３９】
ここで、空気改良機器では、容器本体１２内の空気改良液１１がなくなると空気改良効果を失うことから、本発明に係る電源を兼ね備えた液体有無検出機器では、空気改良液１１の残量が少ないことを検出（大きくは「空検出」）する必要がある。このため、空気改良液１１の残量が少なく、容器本体１２内の底面１２ｂ近くにある液面レベルＬＬｏｗ（図１）が空気改良液１１の有無を検出すべき検出ポイントとして設定され、吸液部２４は、この下端部２４ａが検出ポイントＬＬｏｗと略同じ高さに位置するように、容器本体１２内に延出される。吸液部２４としては、保液部２３の下端部の一箇所から、例えば、線状や帯状で１本だけ延出するものであってもよく、保液部２３の下端部の数箇所から、例えば、線状や帯状で数本延出するものであってもよい。吸液芯挿通孔２５は、保液部２３の吸液部延出箇所と対向する位置にて吸液部２４の横断面形状と略同形状で設けられる。電気的負荷４０としては、例えば、空気改良液１１の残量が少ないことを使用者に知らせるためのＬＥＤ（発光ダイオード）、このＬＥＤと空気マグネシウム電池２０とを電気的に接続し動作電圧を印加する制御基板の電子回路等を設けることができる。
【００４０】
そして、空気改良機器では、検出ポイントＬＬｏｗに空気改良液１１がある時、吸液部２４の下端部２４ａが検出ポイントＬＬｏｗより低位に位置することから、吸液部２４が空気改良液１１に濡れ、吸液部２４に含浸させた空気改良液１１を毛細管現象により吸液部１３の上部に吸い上げる。さらには、吸液部１３の上部に吸い上げられた空気改良液１１を保液部２３が毛細管現象により自身の中に吸い込み、保液部２３に空気改良液１１が電解液として保持される。これによって、空気マグネシウム電池２０が作動（発電）し、例えば、制御基板の電子回路がＬＥＤにその動作電圧を印加し、ＬＥＤを点灯させる。一方、空気改良液１１の残量が少なくなり、空気改良液１１の液面が検出ポイントＬＬｏｗを下回ると、吸液部２４の下端部２４ａが気中に露出することから、吸液部２４及び保液部２３に保持されていた空気改良液１１が容器本体１２内に戻され、保液部２３が乾燥状態となる。これによって、空気マグネシウム電池２０が停止し、ＬＥＤも消灯する。ＬＥＤが点灯している間は空気改良効果が継続していることを示す。ＬＥＤが消灯すると空気改良剤１０の取替えサインとなる。
【００４１】
以上の構成を有する空気改良機器では、本発明に係る電源を兼ね備えた液体有無検出機器を備え、液体有無検出機器について、外部電源を必要としないことから、その分、簡易、且つ、コンパクトな構成を有すると共に、効率の高い空気改良機器となる。
【００４２】
さらに、容器本体１２に空気マグネシウム電池２０を搭載した場合、吸液芯１３とは別に空気マグネシウム電池２０を単独で容器本体１２にセットする必要があるのに対し、空気改良機器では、蓋体１４に空気マグネシウム電池２０が搭載されることから、容器本体１２の開口１２ａを蓋体１４で閉じて吸液芯１３を容器本体１２にセットすると、空気マグネシウム電池２０も自動的に容器本体１２にセットされ、液体有無検出機器を備えても空気改良剤１０を容易に組み立てることができる。しかも、空気改良機器では、電気的負荷４０は、機器本体１に搭載されるものの、空気改良剤１０を機器本体１内に装着した時、空気マグネシウム電池２０と電気的に接続されることから、空気改良剤１０を機器本体１内に装着して空気改良機器を使用状態に組み立てると、液体有無検出機器も自動的に構成され、液体有無検出機器を備えても空気改良機器を使用状態に容易に組み立てることができる。また、容器本体１２に空気マグネシウム電池２０を搭載した場合、吸液部２４を容器本体１２内の検出ポイントＬＬｏｗに延出するために、容器本体１２にその上部の開口１２ａとは別に吸液部挿通孔１４ａを設ける必要があると共に、この吸液部挿通孔１４ａからの漏れ止めを施したとしても、使用時に漏れるおそれがあるのに対し、空気改良機器では、蓋体１４に空気マグネシウム電池２０が搭載され、吸液部２４が吸液芯１３の外側で蓋体１４に設けられた吸液部挿通孔１４ａに挿通されて、容器本体１２内の検出ポイントＬＬｏｗに延出されることから、容器本体１２にその上部の開口１２ａとは別に吸液部挿通孔１４ａを設けたり、この吸液部挿通孔１４ａからの漏れ止めを施す必要がなく、使用時に漏れを発生することをなくすことができる。また、容器本体１２の上部の開口１２ａ部に取り付ける蓋体１４に空気マグネシウム電池２０が搭載されることから、検出ポイントＬＬｏｗと空気マグネシウム電池２０との高低差を稼ぎ、検出ポイントＬＬｏｗに空気改良液１１がある状態からなくなった時の保液部２３からの空気改良液１１の抜き取り及び保液部２３の乾燥が短時間で行え、液体有無検出機器の応答性を向上することができる。
【００４３】
また、空気改良機器では、吸液部２４は筒状をなし、吸液部挿通孔１４ａはリング状をなし、蓋体１４には容器本体１２内に開口１２ａから挿入される芯部１５を一体に形成する。図４は、蓋体１４の芯部１５を示す断面平面図である。図１及び図４に示すように、この芯部１５は、蓋体１４の吸液部挿通孔１４ａより内側の下面から垂下し、吸液部挿通孔１４ａの周方向に沿って所定の間隔を置いて配置する複数の内側縦桟部１６と、吸液部挿通孔１４ａより外側の下面から垂下し、吸液部挿通孔１４ａの周方向に沿って所定の間隔を置いて配置する複数の外側縦桟部１７と、内側縦桟部１６と外側縦桟部１７の下端同士を連結する連結部１８からなり、リング状をなす吸液部挿通孔１４ａによって分離された蓋体１５の吸液部挿通孔１４ａより内側部と外側部とを一体化し、蓋体１４を一体構造となし、筒状をなす吸液部２４をリング状をなす吸液部挿通孔１４ａから内側縦桟部１６と外側縦桟部１７との間に受け入れて、吸液芯１３の周囲に配置するようになれている。
【００４４】
以上の構成を有する空気改良機器では、使用時に水平面上に置かれた場合でも、傾斜面上に置かれた場合でも、実際に放散に供される有効空気改良液１１は吸液芯１３に接触している空気改良液１１であるが、筒状をなす吸液部２４を吸液芯１３の周囲に配置することから、常に有効空気改良液１１の有無を検出することがき、液体有無検出機器の精度を向上することができる。また、空気マグネシウム電池２０の吸液部２４を保液部２３から下向きに真直ぐ有効検出ポイントＬＬｏｗまで延出することができ、保液部２３への空気改良液１１の吸い上げ保持及び保液部２３からの空気改良液１１の抜き取りを短時間で行え、液体有無検出機器の応答性を向上することができる。
【００４５】
また、空気改良機器では、連結部１８の中心部には吸液芯１３を挿通可能な下部吸液芯挿通孔１９を設け、この連結部１８を容器本体１２内の底面１２ｂから離反した高さ位置に配置し、吸液芯１３は下部吸液芯挿通孔１９に挿通させて容器本体１２内の底面１２ｂに接触させ、吸液部２４の下端部２４ａは連結部１８に当接するようになされている。
【００４６】
以上の構成を有する空気改良機器では、吸液芯１３は下部吸液芯挿通孔１９に挿通させて容器本体１２内の底面１２ｂに接触させ、吸液部２４の下端部２４ａは連結部１８に当接することから、使用時に多少乱暴に取り扱われたとしても、吸液芯１３及び吸液部２４の曲がりや位置ずれを防止することができ、空気改良性能及び液体検出性能を維持することができる。
【００４７】
また、空気改良機器では、空気マグネシウム電池２０には、吸液部引き出し口２６と、正極２１への空気取り込み口２７とを有し、正極２１と負極２２と保液部２３とを収容する絶縁性合成樹脂からなる電極ケース２８を設け、この電極ケース２８は、上ケース２９と下ケース３０からなり、上ケース２９は、電極ケース天壁部２９ａと、電極ケース上部内側壁部２９ｂと、電極ケース上部外側壁部２９ｃとを一体に形成し、電極ケース天壁部２９ａは、リング状をなし、正極２１と負極２２と保液部２３との上面を覆い、電極ケース上部内側壁部２９ｂは、電極ケース天壁部２９ａの内周縁部から負極２２の内周面に沿って垂下され筒状をなし、負極２２の内周面上部を覆い、電極ケース上部外側壁部２９ｃは、電極ケース天壁部２９ａの外周縁部から正極２１の外周面に沿って垂下され筒状をなし、正極２１の外周面上部を覆い、下ケース３０は、電極ケース底壁部３０ａと、電極ケース下部内側壁部３０ｂと、電極ケース下部外側壁部３０ｃとを、蓋体１４に一体に形成し、電極ケース底壁部３０ａは、正極２１と負極２２との下面と対向する蓋体１４の一部からなり、正極２１と負極２２との下面とを覆い、かつ、吸液部挿通孔１４ａを吸液部引き出し口２６として有し、電極ケース下部内側壁部３０ｂは、電極ケース底壁部３０ａの内周縁部から負極２２の内周面に沿って立ち上げられ筒状をなし、負極２２の内周面下部を覆い、電極ケース下部外側壁部３０ｃは、電極ケース底壁部３０ａの外周縁部から正極２１の外周面に沿って立ち上げられ筒状をなし、正極２１の外周面下部を覆い、上ケース２９と下ケース３０とは、電極ケース上部内側壁部２９ｂの下端と電極ケース下部内側壁部３０ｂの上端とを突き合わせた状態、かつ、電極ケース上部外側壁部２９ｃの下端と電極ケース下部外側壁部３０ｃの上端とを突き合わせた状態で一体化され、電極ケース２８は、電極ケース上部内側壁部２９ｂ及び電極ケース下部内側壁部３０ｂの内側に吸液芯１３を挿通保持し、電極ケース上部外側壁部２９ｃ及び電極ケース下部外側壁部３０ｃの一方又は両方に跨って空気取り込み口２７を周方向に所定の間隔を置いて複数設けるようになされている。
【００４８】
以上の構成を有する空気改良機器では、空気マグネシウム電池２０の電極ケース２８を用いて吸液芯１３と蓋体１４と空気マグネシウム電池２０とを一体化し、使用時に空気改良剤１０を組み立てる時に一つの部品として取り扱え、製造コストを抑えながら、使用時の組み立て性の向上を図ることができる。
【００４９】
また、空気改良機器では、上ケース２９には、一端側が正極２１の集電体２１ｂに接触した状態、かつ、他端側が上ケース２９の上面に露出した状態で固定された正極端子３１と、一端側が負極２２に接触した状態、かつ、他端側が上ケース２９の上面に露出した状態で固定された負極端子３２とが設けられ、機器本体１には、空気改良剤１０を機器本体１内に装着した時、正極端子３１に弾性的に接触する正極接続端子３３、及び、負極端子３２に弾性的に接触する負極接続端子３４と、正極接続端子３３及び負極接続端子と電気的負荷４０とがそれぞれ電気的に接続された制御基板３５とを設けるようになされている。
【００５０】
ここで、正極接続端子３３及び負極接続端子と電気的負荷４０とは、それぞれ、制御基板３５に対し直接半田付けされ（実装され）電気的に接続されたものであっても、機器筐体２に固定されリード線等で電気的に接続されたものであってもよい。
【００５１】
以上の構成を有する空気改良機器では、空気改良剤１０を機器本体１内に装着した時、正極端子３１と正極接続端子３３、及び、負極端子３２と負極接続端子３４が、それぞれ、電気的に接続されることから、空気改良剤１０を機器本体１内に装着して空気改良機器を使用状態に組み立てると、液体有無検出機器も自動的に構成され、液体有無検出機器を備えても空気改良機器を容易に使用状態に組み立てることができる。
【実施例２】
【００５２】
図５は、実施例２を示す空気改良機器の全体構成図である。本実施例の空気改良機において、実施例１の空気改良機器と同じ構造には同一符号を付してある。
【００５３】
本実施例の空気改良機器は、噴霧ユニット５０を備える。この噴霧ユニット５０は、機器筐体２の放散口２ｅに取り付けられる。噴霧ユニット５０は、複数のノズル孔を有する金属板を振動させ、その金属板、即ち、振動板の裏面側（下面側）に吸液芯１３により供給された空気改良液１１を、複数のノズル孔から振動板の表面側に噴霧し、空気改良成分を機器筐体２の放散口２ｅから室内に放散するものである。
【００５４】
而して、本実施例の空気改良機器は、本発明に係る電源を兼ね備えた液体有無検出機器を備え、噴霧ユニット５０を制御基板３５に電気的に接続し、空気マグネシウム電池２０の発電電力を消費する電気的負荷の一つとし、検出ポイントＬＬｏｗに空気改良液１１がある時、吸液部２４が空気改良液１１に濡れ、保液部２３に空気改良液１１が電解液として保持されることによって、空気マグネシウム電池２０が作動し、噴霧ユニット５０を動作させる一方、検出ポイントＬＬｏｗに空気改良液１１がなくなると、保液部２３が乾燥状態に保持され、空気マグネシウム電池２０が停止するのに伴い、噴霧ユニット５０を自動停止させるようになされている。省エネルギー化、空運転防止効果がある。
【００５５】
ここで、空気改良機器の中には、ヒータ、ファン用モータ、プラスイオンやマイナスイオン発生ユニット等の電気的負荷を備えるものもあるが、これらも噴霧ユニット５０と同様に本発明に係る液体検知システムにより、動作及び自動停止させることができる。
【実施例３】
【００５６】
実施例１及び２の空気改良機器に備えた本発明に係る電源を兼ね備えた液体有無検出機器は、容器本体１２内の空気改良液１１の空検出を行うが、空気改良機器の中には、容器内の液体の満検出を行う必要があるものも存在する。例えば、除湿機器では、除湿液を容器内に貯留するので、除湿液が容器から溢れるのを防止するため容器内の除湿液の満検出を行う。この場合、除湿機器に本発明に係る液体検知システムを備え、空気マグネシウム電池の発電電力を消費する電気的負荷（ＬＥＤやブザー）を満検出するまで停止し、満検出時に自動的に動作させることができる。
【００５７】
次に、図６乃至図１０を参照しながら本発明に係る電源を兼ね備えた液体有無検出機器の他の使用例について、いくつか、説明する。
【００５８】
図６は、本発明に係る電源を兼ね備えた液体有無検出機器を備えたケトル６０の概略説明図である。ケトル６０の注ぎ口には、例えば、ロータリソレノイドを有する開閉蓋６１が設けられる。そして、かかる液体有無検出機器は、空気マグネシウム電池２０の吸液部２４をケトル６０内（検出ポイント）に延ばし、ケトル６０内の液体（お茶等）６２の有無を検出する。例えば、お茶が入っている時は、開閉蓋６１が開いており、お茶がなくなると注ぎ口が閉じるようにする。これにより、ケトル６０に触れずにケトル６０内のお茶６２の有無を把握することができる。
【００５９】
図７は、本発明に係る電源を兼ね備えた液体有無検出機器を備えた漏水センサ７０の概略説明図である。漏水センサ７０は、例えば、洗濯機７１の排水チューブ７２周りに置かれる。そして、かかる液体有無検出機器は、空気マグネシウム電池２０の吸液部２４を洗濯機７１の排水チューブ７２周りの床上に延ばし、排水チューブ７２が破れて漏水が発生した時、ブザー音で警告する。これにより、床が水浸しになることを防ぐことができる。
【００６０】
図８は、本発明に係る電源を兼ね備えた液体有無検出機器を備えた雨濡れ防止機器８０の概略説明図である。雨濡れ防止機器８０は、モータ駆動の可動ルーフ８１を備える。そして、かかる液体有無検出機器は、空気マグネシウム電池２０の吸液部２４を可動ルーフ８１の上表面に延ばし、雨が降ってくると可動ルーフ８１が物干し場の上に自動で出てきて、洗濯物が雨に濡れるのを防ぐことができ、外出時の天候急変対策に有効である。
【００６１】
図９は、本発明に係る電源を兼ね備えた液体有無検出機器を備えた止水機器９０の概略説明図である。止水機器９０は、安全部品９１にソレノイド駆動の止水シャッター９２を備える。そして、かかる液体有無検出機器は、空気マグネシウム電池２０の吸液部２４を検出ポイントに延出し、安全部品に不測の水が流れてきた時、止水シャッター９２が閉じる。これにより、安全部品９１の水損を防止することができる。
【００６２】
図１０は、本発明に係る電源を兼ね備えた液体有無検出機器を備えた長寿命漏水センサ１００の概略説明図である。長寿命漏水センサ１００は漏水したことを知らせるモジュールとして使用する。そして、かかる液体有無検出機器は、空気マグネシウム電池２０の吸液部２４をモジュールの外部に延出し、漏水が接触すると、何かを起動する電源となり、何かに対して漏水があったことを電気信号を発信し伝達する。水に濡れなければ反応自体が起こらないため、長時間交換する必要がない。
【００６３】
本発明に係る電源を兼ね備えた液体有無検出機器は、以上の使用例以外にも、様々な分野で使用することができる。例えば、海水、淡水等を検出して自己発電電力で点灯する釣り用電気浮き、灯篭流しの灯篭、水上イルミネーション、豪雨災害用の救助発信器等に、また、おむつの中に備えて大小便を検出すると自己発電電力で病院や老人ホーム等の管理センターと通信する使い捨ておむつ等に使用することができる。
【符号の説明】
【００６４】
１  機器本体
１０  空気改良剤
１１  空気改良液
１２  容器本体
１２ａ  開口
１３  吸液芯
１４  蓋体
１４ａ  吸液部挿通孔
１５  芯部
１６  内側縦桟部
１７  外側縦桟部
１８  連結部
１９  下部吸液部挿通孔
２０  空気マグネシウム電池
２１  正極
２２  負極
２３  保液部
２４  吸液部
２５  吸液芯挿通孔
２６  吸液部引き出し口
２７  空気取り込み口
２８  電極ケース
２９  上ケース
２９ａ  電極ケース天壁部
２９ｂ  電極ケース上部内側壁部
２９ｃ  電極ケース上部外側壁部
３０  下ケース
３０ａ  電極ケース底壁部
３０ｂ  電極ケース下部内側壁部
３０ｃ  電極ケース下部外側壁部
３１  正極端子
３２  負極端子
３３  正極接続端子
３４  負極接続端子
３５  制御基板
４０  電気的負荷
ＬＬｏｗ  検出ポイント
【図１】
2015197392.tif 000003
【図２】
2015197392.tif 000004
【図３】
2015197392.tif 000005
【図４】
2015197392.tif 000006
【図５】
2015197392.tif 000007
【図６】
2015197392.tif 000008
【図７】
2015197392.tif 000009
【図８】
2015197392.tif 000010
【図９】
2015197392.tif 000011
【図１０】
2015197392.tif 000012